(57)【要約】【課題】一度の金券類データ入力作業を行うのみで、全体及び階層別の集計を可能とし、集計ミスを防ぐとともに、作業処理時間の大幅な短縮を図る。【解決手段】１台以上の金券類入金処理機とネットワークを介して接続され、前記金券類入金処理機から送られた前記金券類の属性データを集計し、その結果を印字出力する精算ターミナルとから構成される金券類精算集計システムであって、前記精算ターミナルは、前記１台以上の金券類入金処理機から送られたすべての属性データのうち金種及び発行元が同一の属性データを持つ金券類の枚数を集計し、前記同一の属性データを持つ金券類ごとに合計金額若しくは枚数の少なくとも一方を表示又は印刷出力する第１の集計手段と、前記第１の集計手段で集計された集計結果を、さらに、発行元が同一である金券類について集計して、前記発行元ごとに合計金額若しくは枚数の少なくとも一方を表示又は印字出力する第２の集計手段とを具備したことを特徴とする金券類精算集計システムによって達成される。【選択図】図１
2004240607.tif 000002
【特許請求の範囲】
【請求項１】
金券類を取り込んでその金種及び発行元から成る属性データを取得する１台以上の金券類入金処理機と、該金券類入金処理機とネットワークを介して接続され、前記金券類入金処理機から送られた前記金券類の属性データを集計し、その結果を印字出力する精算ターミナルとから構成される金券類精算集計システムであって、
前記精算ターミナルは、前記１台以上の金券類入金処理機から送られたすべての属性データのうち金種及び発行元が同一の属性データを持つ金券類の枚数を集計し、前記同一の属性データを持つ金券類ごとに合計金額若しくは枚数の少なくとも一方を表示又は印刷出力する第１の集計手段と、
前記第１の集計手段で集計された集計結果を、さらに、発行元が同一である金券類について集計して、前記発行元ごとに合計金額若しくは枚数の少なくとも一方を表示又は印字出力する第２の集計手段と、
を具備したことを特徴とする金券類精算集計システム。
【請求項２】
請求項１に記載の精算ターミナルが、前記第２の集計手段で集計された発行元別の集計結果を、予めグループ化された発行元毎にまとめて集計して、枚数若しくは合計金額の少なくとも一方を表示または印字出力する第３の集計手段をさらに具備したことを特徴とする金券類精算集計システム。
【請求項３】
同一の系列もしくは同一の業態の発行元が一つのグループとなるように、前記グループ構成が行われていることを特徴とする請求項２に記載の金券類精算集計システム。
【発明の詳細な説明】
【０００１】
【発明の属する技術分野】
本発明は、百貨店等で使用される商品券等の金券類（以下、金券類という。）の精算集計システムに関し、特に、精算所で回収され、金券類入金処理機に入金処理された金券類の金券類データを種類別に集計する金券類精算集計システムに関する。
【０００２】
【従来の技術】
近年、百貨店等では贈答品等として金券に相当する商品券が普及し、これに伴って、顧客が商品購入の際に商品券で支払う頻度が多くなっている。
【０００３】
一方、百貨店等の大型店では１日の売上が莫大なものとなっており、人手による売上の入金処理での対応が困難になっているため、従来より機械化された貨幣の入金システムが導入されている。
【０００４】
しかし、上述した商品券は紙幣と同様な価値を有するにもかかわらず、商品券の入金処理についての機械化は遅れており、専ら人手による処理となっていた。
【０００５】
このような処理が行われる理由は、商品券は大きさ、色、紙質、発行券種（金額、券番）等を百貨店等が独自に設定しているため、その種類が非常に多く、係員がその種類を正確に認識した上でなければ処理が困難なためである。
【０００６】
このため、種類の多い商品券についての煩雑な入金処理を効率化させるための商品券入金システムの実現が切望されていた。
【０００７】
かかる要望に応えるものとして本出願人による金券類入金処理機が提案されている（特許文献１参照）。
【０００８】
【特許文献１】
特開２００２−１５３５９号公報
【０００９】
【発明が解決しようとする課題】
しかしながら、かかる金券類入金処理機により、金券類の自動読取入力や、機械が識別不能な金券類の手入力が容易にはなるものの、金券類（特に商品券）の特性に起因する、次のような問題点には対応できなかった。
【００１０】
すなわち、金券類が使用された店舗では、客が使用した金券類を種類別にまとめてそれを発行元に持ち込み現金化する必要があるが、金券類の種類は３００種類以上あり、これを種類別に集計する作業が大変なばかりか、さらにこれを店舗別、部門（売場）別、レジ別等、階層別に集計しようとすれば処理の手数が膨大なものとなっていた。具体的には、この集計を行うために、集計単位（階層ごとに）独立した集計作業を行う必要があり、確認作業も複雑で、ミスの発生も避けられなかった。
【００１１】
本発明は、かかる従来技術の問題点に鑑み為されたものであり、金券類入金処理機に入金処理された金券類の金券類データを種類別・階層別に集計する金券類精算集計システムを提供することにより、一度の金券類データ入力作業を行うのみで、全体及び階層別の集計を可能とし、集計ミスを防ぐとともに、作業処理時間の大幅な短縮を図ることを目的とする。
【００１２】
【課題を解決するための手段】
本発明は、金券類の金券類データを種類別に集計する金券類精算集計システムに関し、本発明の上記目的は、金券類を取り込んでその金種及び発行元から成る属性データを取得する１台以上の金券類入金処理機と、該金券類入金処理機とネットワークを介して接続され、前記金券類入金処理機から送られた前記金券類の属性データを集計し、その結果を印字出力する精算ターミナルとから構成される金券類精算集計システムであって、前記精算ターミナルは、前記１台以上の金券類入金処理機から送られたすべての属性データのうち金種及び発行元が同一の属性データを持つ金券類の枚数を集計し、前記同一の属性データを持つ金券類ごとに合計金額若しくは枚数の少なくとも一方を表示又は印刷出力する第１の集計手段と、前記第１の集計手段で集計された集計結果を、さらに、発行元が同一である金券類について集計して、前記発行元ごとに合計金額若しくは枚数の少なくとも一方を表示又は印字出力する第２の集計手段と、を具備したことを特徴とする金券類精算集計システムによって達成される。
【００１３】
また、本発明の上記目的は、前記精算ターミナルが、前記第２の集計手段で集計された発行元別の集計結果を、予めグループ化された発行元毎にまとめて集計して、枚数若しくは合計金額の少なくとも一方を表示または印字出力する第３の集計手段をさらに具備したことを特徴とする金券類精算集計システムによって、効果的に達成される。またさらに、本発明の上記目的は、同一の系列もしくは同一の業態の発行元が一つのグループとなるように、前記グループを構成することによって、さらに効果的に達成される。
【００１４】
【発明の実施の形態】
以下、図面を参照して本発明の実施の形態について詳細に説明する。
【００１５】
図１は本発明に係る金券類精算集計システムの構成を示すブロック図である。
【００１６】
図１に示すように、この金券類精算集計システムは、金券類の属性データ（発行元、金種）を読み取り枚数を数える金券類識別器および金券類計数器を有する複数の金券類入金処理機１０が、ネットワーク２０を介して、これらがそれぞれ精算ターミナル３０に接続されている。そして、前記精算ターミナル３０が、すべての金券類入金処理機１０からのデータを基にして、以下に説明するような精算集計処理を行う。なお、精算ターミナル３０は汎用のパーソナルコンピュータが利用可能である。
【００１７】
図２は本発明に係る金券類精算集計システムで使用される金券類入金処理機１０の外観を示す斜視図である。
【００１８】
図２に示すように、金券類入金処理機１０の前面には商品券等の金券類の入金を行うための投入口１１と、ここに投入された金券等が損傷、汚れ等のためにリジェクトされたときに返却するためのリジェクト口１２が設けられている。前述した金券類識別器および金券類計数器は本体の内部に収納されている。
【００１９】
一方、本体の上部には操作ボタンやキーを備えた操作部１３が設けられ、その上にはキャッシャ（レジを扱う係員）のＩＤを読み取るためのＩＤリーダ１４が設けられている。このＩＤリーダ１４は、キャッシャが持参するＩＤカードに磁気的あるいは光学的、光磁気的に記録された情報を読み取って使用するキャッシャを識別する。本体の天井板上には液晶パネル等でなる表示部１５が設けられ、ここに各種の情報が表示される。店舗の閉店後に、キャッシャは客が使用した金券類を前記金券類入金処理機１０に投入し、属性データを読み込ませるとともに、リジェクトされた金券類のデータを手入力する。
【００２０】
図３は本発明に係る金券類精算集計システムによる、精算ターミナル３０における金券類の精算集計処理のフローチャートである。以下、順に説明する。
【００２１】
まず、項目登録を行う（ステップＳ１）。項目登録とは、図７に示すような、金券類発行元（例：Ａカード、Ｂカード…）の名称や、入力方法、単価等について、金券類ごとに登録を行うものである。これを行うためには、図４のメニューから、「６．初期登録」を選択し、次に、「初期登録メニュー画面」（図５）から、「２．項目登録」を選択する。そうすると図７の画面が表示されるので、この画面から登録を行う。図７の画面は既に登録を行った状態を示している。
【００２２】
次に、グループ計の集計を行うための「グループ計登録」を行う（ステップＳ２）。これは、同じ発行元の金券類が何種類かあった場合、これを同グループとして関連づけるために行うものである。これは、図５の「初期登録メニュー画面」で「３．グループ計登録」を選択し、図８の登録画面を表示させて行う。例えば、「Ｃカード」という発行元の金券類が項目Ｎｏ．の何番から何番までに対応しているのかを登録したいときは、図８の画面において、上から３番目の「Ｃカード計」の行にカーソルを置き、画面下の「編集（Ｆ３）」ボタンをクリックすると、図９の選択画面が表示されるので、図９の表の左欄から「Ｃカード５００円」を選択し、「追加＞」ボタンをクリックすると、右欄に移動する。
【００２３】
このようにして、「Ｃカード」に関係するすべての項目を選択し、「登録（Ｆ１）」ボタンをクリックすると、図８の画面に戻り、図８の表の「Ｃカード計」の右欄に「１０−１３」と表示される。これは、項目の１０から１３までがＣカード会社が発行した金券類であることを意味している。同様にしてグループ計登録が終了し、「前画面（Ｅｓｃ）」ボタンをクリックすると、初期登録メニュー画面（図５）に戻るので、ここで「４．グループ小計登録」を選択し、グループ小計登録を行う（ステップＳ３）。ここに、「グループ小計登録」とは、発行元を系列や業態によってさらにグループ化し、そのグループごとに集計するために行うものである。
【００２４】
初期登録メニュー画面（図５）で「４．グループ小計登録」を選択すると、図１０の画面が表示され、ここで登録を行う。図１０において、クレジット計とは、発行元がクレジットカード会社及び信販系の会社である金券類の合計を表しており、その右欄の「１−５＋７＋８」とは、図８の表におけるグループ計Ｎｏ．１から５までと、７及び８を合わせたものがクレジット計に相当するものであることを示している。図１０の表はすでに登録された結果を表しているが、登録を行う場合は、図１０の「グループ小計Ｎｏ．１」の右欄に「クレジット計」と入力（書き込み）し、そこにカーソルを置いたまま、下の編集ボタンをクリックし、図１１の選択画面を表示させる。そこで、左側の表の中から発行元がクレジットカード会社及び信販系の会社であるグループを選択し、「追加＞」ボタンをクリックし、右側の欄に移動させる。図１１は、「７  Ｆカード計」までの選択が終了し、「８  Ｇ信販計」を選択しようとしている状態を示している。この状態から追加ボタンをクリックすると「８  Ｇ信販計」が選択されて右欄に移動する。その後、「登録ボタン」をクリックすると、図１０の画面に戻り、「クレジット計」についてのグループ小計登録が行われたことになる。同様にして自社計（自社及び系列店のグループ）、他社計（同業他社の発行によるもの）のグループ小計登録を行う。
【００２５】
以上の初期登録は変更が無い限りは、初回のみ行えばよく、通常のルーチン作業はステップＳ４から開始される。なお、ここでは説明を省略したが、初期登録においては、このほかに、「端末登録」、「店登録」、「部門登録」、「レジ登録」等も行う。
【００２６】
本発明の特徴は、金券類ごとに番号（図７の登録表における一番左列の番号）を付け、その番号をキーとしてグループ計を集計し、また、グループ計に予め番号（図８の表の一番左列の番号）を付け、その番号をキーとしてさらに大きなグループ（系列ごと若しくは業態ごと等、自由に設定できる）ごとの集計（本発明では、これを「グループ小計」と呼ぶ。）を行うことができる点にある。
【００２７】
このようにして、初期登録がすべて終了し、前画面をクリックすると、初期登録メニュー画面（図５）になり、さらに「９．前画面」を選択すると、初期メニュー画面（図４）に戻るので、ここで、「１．精算」を選択すると、図６の精算メニュー画面が表示される。
【００２８】
精算されるデータは各金券類入金処理機１０からネットワーク２０を介して精算ターミナル３０に読み込まれるが（ステップＳ４）、集計を行う前に、読み込まれたデータの修正処理を行う。というのは、各金券類入金処理機１０においては、リジェクトされた金券類のデータは、前記キャッシャによって手入力されているが、キャッシャの習熟度によっては入力ミスが起こらないとも限らないので、これを修正する必要があるからである。具体的には、リジェクトされた金券類は別の袋に入れられて運ばれて来るので、その金券類の現物と照合しながら、手入力されたデータの修正を行うのである（ステップＳ５）。
【００２９】
図１２乃至１４は、修正処理を行うときの画面の一例であり、図６の精算メニューにおいて、「１．修正処理」を選択すれば表示される。
【００３０】
図１２は各金券類の種類ごとに修正を行うための画面である。ここで修正を行い、修正が終了し、「グループ計」のタブをクリックすると、図１３の画面が表示され、各発行元ごとの合計枚数が集計されて表示される。たとえば、「Ａカード計」は４枚と表示されているが、これは、図８で、Ａカード計は「Ｎｏ．２から５までの合計である。」と登録してあるからである。また、図１２又は図１３で「グループ小計」のタブをクリックすると図１４の画面が表示され、図１０において登録したグループ分けに従って、各グループ小計が表示される。
【００３１】
このようにして修正処理が終了すると、精算メニュー（図６）に戻り、表示させたい項目（メニュー）を選択する。例えば、「２．レジ別計」を選択したものとして説明すると、レジ別の集計画面が表示される。これは図示していないが、図１２と同様に、１つの画面内に、「項目計」、「グループ計」、「グループ小計」がすでに計算され、タブで切り替えてそれぞれの画面を表示できるようになっている。
【００３２】
これらの画面を表示させた状態で、印刷ボタン（図示せず）をクリックすると、結果が印字出力される。図１５はレジ別項目明細一覧表、図１６はレジ別グループ計明細一覧表、図１７はレジ別グループ小計明細一覧表の一例を示す図である。（ステップＳ６〜Ｓ８）。
【００３３】
従来は、これらの集計を別々に行っていたため、重複した作業が必要となり、ミスが発生する機会も多かったが、本発明に係る金券類精算集計システムによれば、１回の集計処理で金券類ごと、発行元ごと、（系列や業態等の）グループごとの集計を行うことができる。
【００３４】
【発明の効果】
上述の通り、本発明に係る金券類精算集計システムによれば、１回の処理で３種類（項目別、グループ別、グループ小計別）の集計結果が得られるため、作業時間が短縮されるとともに、一覧と明細の切り替えが簡単にできるので、確認ミスが少なくなる。
【００３５】
さらには、集計単位が任意に設定できるため、ユーザが自己のニーズに合わせてグループ化を行うこともできるし、金券類の追加、削除も容易であるので、新券・廃券対応が容易となる等、自由度が高い。
【図面の簡単な説明】
【図１】本発明に係る金券類精算処理システムの構成を示す図である。
【図２】金券類入金処理機の外観を示す斜視図である。
【図３】本発明に係る金券類精算処理システムの処理の流れを示すフローチャートである。
【図４】本発明に係る金券類精算処理システムの処理のメニュー画面（メイン）の一例である。
【図５】初期登録メニュー画面の一例である。
【図６】精算メニュー画面の一例である。
【図７】項目登録を行うときの画面の一例である。
【図８】グループ計登録を行うときの画面の一例である。
【図９】グループ計登録を行う際の項目選択画面の一例である。
【図１０】グループ小計登録を行うときの画面の一例である。
【図１１】グループ小計登録を行う際のグループ計選択画面の一例である。
【図１２】項目の修正処理を行うときの入力画面の一例である。
【図１３】グループ計の修正処理の確認画面の一例である。
【図１４】グループ小計の修正処理の確認画面の一例である。
【図１５】レジ別項目明細一覧表の印字サンプルである。
【図１６】レジ別グループ計明細一覧表の印字サンプルである。
【図１７】レジ別グループ小計明細一覧表の印字サンプルである。
【符号の説明】
１０  金券類入金処理機
１１  投入口
１２  リジェクト口
１３  操作部
１４  ＩＤリーダ
１５  表示部
２０  ネットワーク
３０  精算ターミナル
【図１】
2004240607.tif 000003
【図２】
2004240607.tif 000004
【図３】
2004240607.tif 000005
【図４】
2004240607.tif 000006
【図５】
2004240607.tif 000007
【図６】
2004240607.tif 000008
【図７】
2004240607.tif 000009
【図８】
2004240607.tif 000010
【図９】
2004240607.tif 000011
【図１０】
2004240607.tif 000012
【図１１】
2004240607.tif 000013
【図１２】
2004240607.tif 000014
【図１３】
2004240607.tif 000015
【図１４】
2004240607.tif 000016
【図１５】
2004240607.tif 000017
【図１６】
2004240607.tif 000018
【図１７】
2004240607.tif 000019